(57)【要約】      （修正有）【課題】画像信号の調整処理に対する検査を、検査ミスの少ないタイミングで実施する画像読取装置及び画像形成装置を提供する。【解決手段】画像読取装置は、遮光状態が維持されている場合（プラテンカバーが閉じている場合）に、黒レベル調整の検査を行い、遮光状態が解除されている場合（プラテンカバーが開いている場合）に、黒レベル調整の検査を延期する。これによって、黒レベル調整の検査が外光の影響で失敗することを防ぐことができる。【選択図】図５
2010074528.tif 000002
【特許請求の範囲】
【請求項１】
原稿の反射光に基づいて画像信号を生成する画像信号生成手段と、
前記画像信号生成手段により生成される画像信号を調整する信号調整手段と、
前記信号調整手段による調整結果が適切であるか否かを検査する検査手段と、
既定の光源以外の光が原稿に照射されないように遮光を行う遮光手段と、
前記遮光手段による遮光状態が既定の条件を満たすか否かを判定する遮光判定手段と、
前記遮光判定手段により遮光状態が既定の条件を満たすと判定された場合に、前記検査手段による検査を実施させる検査制御手段と、
を有する画像読取装置。
【請求項２】
前記検査制御手段は、前記遮光判定手段により遮光状態が既定の条件を満たさないと判定された場合に、前記検査手段による検査を延期させる請求項１に記載の画像読取装置。
【請求項３】
前記信号調整手段は、黒色に相当する画像信号が既定の目標範囲内に収まるように、画像信号を調整し、
前記検査手段は、前記光源が消灯されている時に前記画像信号生成手段により生成された画像信号に基づいて、調整結果が適切であるか否かを判断し、
前記遮光判定手段は、前記遮光手段による遮光状態が解除されているか否かを判定し、
前記検査制御手段は、前記遮光判定手段により遮光状態が解除されていると判定された場合に、前記検査手段による検査を延期させる請求項１に記載の画像読取装置。
【請求項４】
前記検査制御手段は、前記遮光判定手段により遮光状態が解除されていると判定された場合に、原稿の画像読取処理が指示されるまで、前記検査手段による検査を延期させる請求項３に記載の画像読取装置。
【請求項５】
前記検査制御手段は、前記検査手段による検査を延期させた場合に、原稿の画像読取処理が指示された時から、画像読取処理が開始されるまでの間に、前記検査手段による検査を実施させる請求項４に記載の画像読取装置。
【請求項６】
前記遮光手段は、原稿台を覆うカバーであり、
前記遮光判定手段は、前記カバーが原稿台を覆う位置に存在するか否かを判定し、
前記検査制御手段は、前記カバーが原稿台を覆う位置に存在すると判定された場合に、前記検査手段による検査を許可し、前記カバーが原稿台を覆う位置に存在しないと判定された場合に、前記検査手段による検査を禁止する請求項１に記載の画像読取装置。
【請求項７】
前記検査手段は、前記信号調整手段による調整が適切でないと判断した場合に、前記信号調整手段に対して、画像信号の調整レベルの再設定を行うよう指示する請求項１に記載の画像読取装置。
【請求項８】
生成した画像信号を出力する画像読取装置と、
前記画像読取装置から入力された画像信号に基づき画像を形成する画像形成部と、
を有し、
前記画像読取装置は、
原稿の反射光に基づいて画像信号を生成する画像信号生成手段と、
前記画像信号生成手段により生成される画像信号を調整する信号調整手段と、
前記信号調整手段による調整結果が適切であるか否かを検査する検査手段と、
既定の光源以外の光が原稿に照射されないように遮光を行う遮光手段と、
前記遮光手段による遮光状態が既定の条件を満たすか否かを判定する遮光判定手段と、
前記遮光判定手段により遮光状態が既定の条件を満たすと判定された場合に、前記検査手段による検査を実施させる検査制御手段と、
を有する画像形成装置。
【発明の詳細な説明】
【技術分野】
【０００１】
本発明は、画像読取装置及び画像形成装置に関する。
【背景技術】
【０００２】
例えば、特許文献１には、基準部材を読み取った際の読取値に基づいて、原稿載置台への外光入射の有無を判断する画像読取装置が開示されている。
【０００３】
【特許文献１】特開２００６−３１１２１９号公報
【発明の開示】
【発明が解決しようとする課題】
【０００４】
本発明は、画像信号の調整処理に対する検査を、検査ミスの少ないタイミングで実施することができる画像読取装置及び画像形成装置を提供することを目的とする。
【課題を解決するための手段】
【０００５】
請求項１に係る本発明は、原稿の反射光に基づいて画像信号を生成する画像信号生成手段と、前記画像信号生成手段により生成される画像信号を調整する信号調整手段と、前記信号調整手段による調整結果が適切であるか否かを検査する検査手段と、既定の光源以外の光が原稿に照射されないように遮光を行う遮光手段と、前記遮光手段による遮光状態が既定の条件を満たすか否かを判定する遮光判定手段と、前記遮光判定手段により遮光状態が既定の条件を満たすと判定された場合に、前記検査手段による検査を実施させる検査制御手段と、を有する画像読取装置である。
【０００６】
請求項２に係る本発明は、前記検査制御手段は、前記遮光判定手段により遮光状態が既定の条件を満たさないと判定された場合に、前記検査手段による検査を延期させる請求項１に記載の画像読取装置である。
【０００７】
請求項３に係る本発明は、前記信号調整手段は、黒色に相当する画像信号が既定の目標範囲内に収まるように、画像信号を調整し、前記検査手段は、前記光源が消灯されている時に前記画像信号生成手段により生成された画像信号に基づいて、調整結果が適切であるか否かを判断し、前記遮光判定手段は、前記遮光手段による遮光状態が解除されているか否かを判定し、前記検査制御手段は、前記遮光判定手段により遮光状態が解除されていると判定された場合に、前記検査手段による検査を延期させる請求項１に記載の画像読取装置である。
【０００８】
請求項４に係る本発明は、前記検査制御手段は、前記遮光判定手段により遮光状態が解除されていると判定された場合に、原稿の画像読取処理が指示されるまで、前記検査手段による検査を延期させる請求項３に記載の画像読取装置である。
【０００９】
請求項５に係る本発明は、前記検査制御手段は、前記検査手段による検査を延期させた場合に、原稿の画像読取処理が指示された時から、画像読取処理が開始されるまでの間に、前記検査手段による検査を実施させる請求項４に記載の画像読取装置である。
【００１０】
請求項６に係る本発明は、前記遮光手段は、原稿台を覆うカバーであり、前記遮光判定手段は、前記カバーが原稿台を覆う位置に存在するか否かを判定し、前記検査制御手段は、前記カバーが原稿台を覆う位置に存在すると判定された場合に、前記検査手段による検査を許可し、前記カバーが原稿台を覆う位置に存在しないと判定された場合に、前記検査手段による検査を禁止する請求項１に記載の画像読取装置である。
【００１１】
請求項７に係る本発明は、前記検査手段は、前記信号調整手段による調整が適切でないと判断した場合に、前記信号調整手段に対して、画像信号の調整レベルの再設定を行うよう指示する請求項１に記載の画像読取装置である。
【００１２】
請求項８に係る本発明は、生成した画像信号を出力する画像読取装置と、前記画像読取装置から入力された画像信号に基づき画像を形成する画像形成部と、を有し、前記画像読取装置は、原稿の反射光に基づいて画像信号を生成する画像信号生成手段と、前記画像信号生成手段により生成される画像信号を調整する信号調整手段と、前記信号調整手段による調整結果が適切であるか否かを検査する検査手段と、既定の光源以外の光が原稿に照射されないように遮光を行う遮光手段と、前記遮光手段による遮光状態が既定の条件を満たすか否かを判定する遮光判定手段と、前記遮光判定手段により遮光状態が既定の条件を満たすと判定された場合に、前記検査手段による検査を実施させる検査制御手段と、を有する画像形成装置である。
【発明の効果】
【００１３】
請求項１に係る本発明によれば、画像信号の調整処理に対する検査を、検査ミスの少ないタイミングで実施することができる画像読取装置を提供することができる。
【００１４】
請求項２に係る本発明によれば、請求項１に係る本発明が奏する効果に加えて、遮光状態が規定の条件を満たさないと判定された場合に、画像信号の調整結果が適切であるか否かの検査を延期させることができる画像読取装置を提供することができる。
【００１５】
請求項３に係る本発明によれば、請求項１に係る本発明が奏する効果に加えて、遮光状態が解除されていると判別された場合に、画像信号の調整結果が適切であるか否かの検査を延期させることができる画像読取装置を提供することができる。
【００１６】
請求項４に係る本発明によれば、請求項３に係る本発明が奏する効果に加えて、原稿の画像読取処理が指示されるまで、画像信号の調整結果が適切であるか否かの検査を延期させることができる画像読取装置を提供することができる。
【００１７】
請求項５に係る本発明によれば、請求項４に係る本発明が奏する効果に加えて、画像信号の調整結果が適切であるか否かの検査を延期させた場合に、原稿の画像読取処理が指示された時から、原稿の画像読取処理が開始されるまでの間に、画像信号の調整結果が適切であるか否かの検査を行うことができる原稿読取装置を提供することができる。
【００１８】
請求項６に係る本発明によれば、請求項１に係る本発明が奏する効果に加えて、カバーが原稿台を覆う位置にない場合に、画像信号の調整結果が適切であるか否かの検査を禁止することができる画像読取装置を提供することができる。
【００１９】
請求項７に係る本発明によれば、画像信号の調整レベルを再調整することができる原稿読取装置を提供することができる。
【００２０】
請求項８に係る本発明によれば、画像信号の調整処理に対する検査を、検査ミスの少ないタイミングで実施することができる画像形成装置を提供することができる。
【発明を実施するための最良の形態】
【００２１】
図１は、画像形成装置の断面図である。
図１に例示するように、画像形成装置１は、画像読取装置１０と、画像形成ユニット２００とを有する。
【００２２】
画像形成ユニット２００は、画像読取装置１０から入力された画像信号に基づき画像を形成する画像形成部として用いられ、画像形成ユニット本体２０２を有し、画像形成ユニット本体２０２内に、像保持体として用いられる感光体ドラム２０４と、感光体ドラム２０４を帯電する帯電装置２０６と、帯電装置２０６によって帯電された感光体ドラム２０４に光を照射して静電潜像を形成する潜像形成装置２０８と、潜像形成装置２０８によって感光体ドラム２０４の表面に形成された静電潜像を、トナーを用いて現像してトナー像を形成する現像装置２１０と、形成されたトナー像を用紙に転写する転写装置２１２と、感光体ドラム２０４の表面をクリーニングするクリーニング装置２１４とが装着されている。
【００２３】
また、画像形成ユニット本体２０２内には、用紙を収納する用紙収納部材２３２が装着され、用紙収納部材２３２から供給された用紙の搬送に用いられる搬送路２３０が形成されている。また、搬送路２３０に沿って、用紙の搬送方向上流側から順に、レジストロール２３４と、先述の感光体ドラム２０４及び転写装置２１２と、定着装置２４０と、排出ロール２３６とが装着されている。
【００２４】
レジストロール２３４は、停止した状態から所定のタイミングで回転を開始し、感光体ドラム２０４にトナー像が形成されるタイミングと合致するように、感光体ドラム２０４と転写装置２１２との接触部に用紙を供給する。定着装置２４０は、転写装置２１２によって用紙に転写されたトナー像を用紙に定着する。排出ロール２３６は、トナー像が定着された用紙を排出部２３８に排出する。
【００２５】
図２は、画像読取装置１０の斜視図である。
図２に例示するように、画像読取装置１０は、プラテンガラス１００と、プラテンカバー１０２と、開閉検知センサ１０４とを有する。
プラテンガラス１００は、原稿台の一例である。プラテンガラス１００の上面には、原稿が配置される。画像読取装置１０の内部にはランプ（不図示）が設けられており、このランプの光は、プラテンガラス１００を透過して原稿に照射され、その反射光が、プラテンガラス１００を透過して、画像読取装置１０の内部に設けられた光電変換素子（後述）に読み取られる。
プラテンカバー１０２は、遮光手段の一例であり、プラテンガラス１００の上面に覆い被さることにより、プラテンガラス１００及び原稿に照射される外光を遮断する。例えば、プラテンカバー１０２は、ヒンジなどにより画像読取装置１０に対して開閉自在に設置されている。
開閉検知センサ１０４は、遮光判定手段の一例であり、プラテンカバー１０２の開閉状態（すなわち、遮光状態）を検知する。例えば、開閉検知センサ１０４は、プラテンカバー１０２に設置された磁石の磁力を検知することにより、プラテンカバー１０２の開閉状態を検知する。
【００２６】
図３は、画像読取装置１０の内部に設けられた機能構成を例示する図である。
図３に例示するように、画像読取装置１０の内部には、光電変換素子１０６、サンプルホールド回路１０８、黒レベル調整回路１１０、出力増幅回路１１２、ＡＤ変換回路１１４、シェーディング補正回路１１６、出力遅延回路１１８、画像処理回路１２０、素子駆動回路１２２、ＤＡ変換回路１２４、比較回路１２６、及びＣＰＵ１２８が設けられている。
光電変換素子１０６は、受光量に応じて画像信号を生成する素子であり、例えば、ＣＣＤ又はＣＭＯＳなどである。本例では、ＲＧＢの各色成分について、光電変換素子１０６が別個に設けられている形態を具体例として説明する。
サンプルホールド回路１０８は、光電変換素子１０６から入力されるアナログの画像信号Ｒ，Ｇ，Ｂをそれぞれサンプリングする。
黒レベル調整回路１１０は、サンプルホールド回路１０８によりサンプリングされた画像信号Ｒ，Ｇ，Ｂに対して、黒画像データの出力レベルが最終的に黒レベル（ゼロ）になるように補正処理（以下、黒レベル調整）を行う。
【００２７】
出力増幅回路１１２は、黒レベル調整回路１１０から入力された画像信号Ｒ，Ｇ，Ｂに対して、適正なレベルの画像信号となるように増幅処理を施す。
ＡＤ変換回路１１４は、出力増幅回路１１２から入力されたアナログの画像信号Ｒ，Ｇ，Ｂを、デジタルの画像データＲ，Ｇ，Ｂに変換する。
シェーディング補正回路１１６は、ＡＤ変換回路１１４から入力された画像データＲ，Ｇ，Ｂに対して、光電変換素子１０６の感度バラツキや光学系の光量分布特性に対応した補正（シェーディング補正）を施す。
出力遅延回路１１８は、シェーディング補正回路１１６から入力された画像データＧ，Ｂを、シェーディング補正回路１１６から入力される画像データＧと同相の画像データとなるように、それぞれ遅延させる。
画像処理回路１２０は、出力遅延回路１１８によって同相となった画像データＲ，Ｇ，Ｂに対して、拡大縮小処理、地肌除去処理又は２値化処理などの画像処理を施す。
【００２８】
素子駆動回路１２２は、光電変換素子１０６に対して駆動信号を出力して、画像信号Ｒ，Ｇ，Ｂを光電変換素子１０６に出力させる。
ＤＡ変換回路１２４は、比較回路１２６により算出されたデジタルの差分値ｒ，ｇ，ｂを、アナログの差分値ｒ，ｇ，ｂに変換する。
比較回路１２６は、ＡＤ変換回路１１４から出力される画像データＲ，Ｇ，Ｂと、目標値とを比較して、これらの差分値ｒ，ｇ，ｂを算出する。
ＣＰＵ１２８は、サンプルホールド回路１０８、黒レベル調整回路１１０、出力増幅回路１１２、シェーディング補正回路１１６、画像処理回路１２０、素子駆動回路１２２、及び比較回路１２６を制御する。
【００２９】
図４は、光電変換素子１０６をより詳細に説明する図である。
図４に例示するように、ＲＧＢそれぞれの光電変換素子１０６は、主走査方向に配列された光電変換素子群と、フィルタとで構成されている。フィルタの一部は、黒色で遮蔽されており、この遮蔽された部分の光電変換素子は黒遮蔽画素となり、所定の色フィルタに相当する部分の光電変換素子は有効画素となる。有効画素とは、原稿からの反射光を受光できる画素であり、画像信号の生成に寄与する。また、黒遮蔽画素は、ランプの点灯又は消灯に関わらず、黒色に相当する光を受光する画素であり、黒レベル調整に用いられる。
【００３０】
次に、画像読取装置１０の動作を説明する。
図５は、画像読取装置１０の初期化動作（Ｓ１０）を例示するフローチャートである。
図５に示すように、ステップ１００（Ｓ１００）において、画像読取装置１０は、電源の投入を検知すると（Ｓ１００：Ｙｅｓ）、ハードウェアの初期化を開始し、Ｓ１０５の処理に移行する。
【００３１】
ステップ１０５（Ｓ１０５）において、画像読取装置１０は、白レベル調整を行う。具体的には、画像読取装置１０が、光電変換素子１０６の有効画素（図３）で、白基準板を読み取り、読み取られた画像データ（白基準データ）とそのときの画像信号（光量基準値）をシェーディング補正回路１１６に保持する。
なお、初期化完了後の画像読取処理では、シェーディング補正回路１１６が、画像読取処理の直前に白基準板を読みって採取した光量測定値と、初期化時に採取した光量基準値との比（光量変動比）を白基準データに積算して、白画像データの出力レベルがランプの光量変動などの影響でばらつかないように適正な白レベルに合わせ込む。
【００３２】
ステップ１１０（Ｓ１１０）において、画像読取装置１０は、黒レベル調整を行う。具体的には、画像読取装置１０が、光電変換素子１０６の黒遮蔽画素（図３）で画像データを読み取り、比較回路１２６が、読み取られた画像データ（黒基準データ）と、黒レベルの目標値とを比較して、これらの差分値を算出し、黒レベル調整回路１１０が、算出された差分値に基づいて、黒遮蔽画素で読み取られた画像データが目標範囲内に収まるような補正量（黒レベル補正値）を決定する。
【００３３】
ステップ１１５（Ｓ１１５）において、画像読取装置１０は、開閉検知センサ１０４からの検知結果に基づいて、プラテンカバー１０２の開閉状態を判定する。
画像読取装置１０は、プラテンカバー１０２が閉じていると判定した場合に、Ｓ１２０の処理に移行し、プラテンカバー１０２が閉じていないと判定した場合に、Ｓ１２５の処理に移行する。
【００３４】
ステップ１２０（Ｓ１２０）において、画像読取装置１０は、黒レベル調整の検査を実施する。黒レベル調整の検査については、図７を参照して後述する。
ステップ１２５（S１２５）において、画像読取装置１０（ＣＰＵ１２８）は、黒レベル調整の検査を延期する。
ステップ１３０（Ｓ１３０）において、画像読取装置１０は、待機状態に移行して、画像読取指示を受信するまで待機する。
【００３５】
図６は、画像読取装置１０の待機中の動作（Ｓ２０）を例示するフローチャートである。
図６に示すように、ステップ２００（Ｓ２００）において、画像読取装置１０は、開閉検知センサ１０４からの検知結果に基づいて、プラテンカバー１０２の開閉状態を判定する。画像読取装置１０は、プラテンカバー１０２が閉じていると判定した場合に、Ｓ２０５の処理に移行し、プラテンカバー１０２が閉じていないと判定した場合に、Ｓ２００の処理に戻って、プラテンカバー１０２が閉じられるまで待機する。
【００３６】
ステップ２０５（Ｓ２０５）において、画像読取装置１０は、初期化動作（Ｓ１０）において、黒レベル調整の検査を行ったか否かを判断する。画像読取装置１０は、初期化動作において黒レベル調整の検査が行われた場合に、Ｓ２１５の処理に移行し、初期化動作において黒レベル調整の検査が行われていない場合に、Ｓ２１０の処理に移行する。
【００３７】
ステップ２１０（Ｓ２１０）において、画像読取装置１０は、黒レベル調整の検査を実施する。なお、画像読取装置１０は、本ステップにおいて検査が終了すると、以後、初期化動作において黒レベル調整が行われたものとみなす。
【００３８】
ステップ２１５（Ｓ２１５）において、画像読取装置１０は、待機状態に戻って、画像読取指示を受信するまで待機する。
【００３９】
図７は、待機中に画像読取指示を受信した場合の動作（Ｓ２２）を例示するフローチャートである。
図７に示すように、ステップ２２０（Ｓ２２０）において、画像読取装置１０は、待機状態において、画像読取指示を受信すると（Ｓ２２０：Ｙｅｓ）、Ｓ２２５の処理に移行し、これ以外の場合に、Ｓ２２０の処理に戻って、待機状態となる。
【００４０】
ステップ２２５（Ｓ２２５）において、画像読取装置１０は、初期化動作において、黒レベル調整の検査を行ったか否かを判断する。画像読取装置１０は、初期化動作において黒レベル調整の検査が行われた場合に、Ｓ２３５の処理に移行し、初期化動作において黒レベル調整の検査が行われていない場合に、Ｓ２３０の処理に移行する。
【００４１】
ステップ２３０（Ｓ２３０）において、画像読取装置１０は、黒レベル調整の検査を実施する。なお、画像読取装置１０は、本ステップにおいて検査が終了すると、以後、初期化動作において黒レベル調整が行われたものとみなす。
【００４２】
ステップ２３５（Ｓ２３５）において、画像読取装置１０は、待機状態に戻って、次の画像読取指示を受信するまで待機する。
【００４３】
このように、画像読取指示がなされた場合に黒レベル調整の検査を許容するのは、このような場合には、プラテンガラス１００上に原稿が置かれている可能性が高く、プラテンカバー１０２が閉じていると同様の遮光性が期待できるからである。
【００４４】
図８は、黒レベル調整の検査動作（Ｓ３０）を例示するフローチャートである。
図８に示すように、ステップ３００（Ｓ３００）において、画像読取装置１０は、ランプを消灯した状態で、光電変換素子１０６の有効画素（図３）を用いて、画像データを読み取る。
【００４５】
ステップ３０５（Ｓ３０５）において、シェーディング補正回路１１６は、画像平均化回路部分を用いて、読み取られた画像データの平均画素値を算出する。
ステップ３１０（Ｓ３１０）において、ＣＰＵ１２８は、算出された平均画素値が、黒レベルの目標範囲内に収まっているか否かを判断し、平均画素値が目標範囲内である場合に、Ｓ３１５の処理に移行し、平均画素値が目標範囲外である場合に、Ｓ３２０の処理に移行する。
【００４６】
ステップ３１５（Ｓ３１５）において、ＣＰＵ１２８は、黒レベル調整が正常であると判断して、黒レベル調整の検査を正常に終了する。
【００４７】
ステップ３２０（Ｓ３２０）において、ＣＰＵ１２８は、黒レベル調整が異常であると判断して、黒レベル調整の検査を異常終了する。なお、画像読取装置１０は、黒レベル調整の検査が異常終了した場合に、例えば、初期化動作（Ｓ１０）をやり直してもよいし、異常状態をユーザに通知して装置を停止させてもよい。
【００４８】
以上説明したように、本実施形態の画像読取装置１０は、遮光状態が維持されている場合（すなわち、プラテンカバー１０２が閉じている場合）に、黒レベル調整の検査を行い、遮光状態が解除されている場合（すなわち、プラテンカバー１０２が開いている場合）に、黒レベル調整の検査を延期する。これによって、黒レベル調整の検査が外光の影響で失敗することを防ぐことが期待できる。
【００４９】
［変形例］
次に、上記実施形態の変形例を説明する。
上記実施形態では、光電変換素子１０６の黒遮蔽画素（図４）を用いて黒レベル調整を行う形態を説明したが、光電変換素子１０６の有効画素（図４）を用いて黒レベル調整を行う形態を変形例として説明する。
【００５０】
図９は、黒レベル調整の変形例（Ｓ４０）を説明するフローチャートである。なお、画像読取装置１０は、図２の機能構成から、ＤＡ変換回路１２４及び比較回路１２６を削除した構成をとる。
図９に示すように、ステップ４００（Ｓ４００）において、画像読取装置１０のＣＰＵ１２８は、黒レベル調整回路１１０に対して、黒レベル調整値を設定する。黒レベル調整値は、デフォルトの値からスタートして、フィードバックによって順に更新されていく。
ステップ４０５（Ｓ４０５）において、画像読取装置１０は、ランプを消灯した状態で、光電変換素子１０６の有効画素（図４）を用いて、画像データを読み取る。
シェーディング補正回路１１６は、画像平均化回路部分を用いて、読み取られた画像データの平均画素値を算出する。
【００５１】
ステップ４１０（Ｓ４１０）において、ＣＰＵ１２８は、シェーディング補正回路１１６により算出された平均画素値が、黒レベルの目標範囲（例えば、画像データが０〜２５５の値をとりうる場合に、目標値である０から１０までの範囲を目標範囲とする）内であるか否かを判断し、平均画素値が黒レベルの目標範囲内である場合に、Ｓ４１５の処理に移行し、平均画素値が黒レベルの目標範囲外である場合に、Ｓ４２０の処理に移行する。
【００５２】
ステップ４１５（Ｓ４１５）において、ＣＰＵ１２８は、現在設定されている黒レベル調整値を確定値として黒レベル調整回路１１０に設定して、黒レベル調整処理を終了する。
【００５３】
ステップ４２０（Ｓ４２０）において、ＣＰＵ１２８は、黒レベル調整値の再設定回数をカウントしており、この再設定回数が既定回数未満である場合に、Ｓ４３０の処理に移行し、再設定回数が既定回数以上である場合に、Ｓ４２５の処理に移行する。
【００５４】
ステップ４２５（Ｓ４２５）において、ＣＰＵ１２８は、黒レベル調整値の設定に失敗したと判断して、黒レベル調整を異常終了する。
ステップ４３０（Ｓ４３０）において、ＣＰＵ１２８は、シェーディング補正回路１１６により算出された平均画素値と、目標値である０との差分を算出し、算出された差分に基づいて、黒レベル調整値を更新する。黒レベル調整値の更新は、平均画素値が目標値に収束するようになされる。
【００５５】
このように、黒レベル調整は、光電変換素子１０６の有効画素を用いて、実施されてもよい。
【図面の簡単な説明】
【００５６】
【図１】画像形成装置の断面図である。
【図２】画像読取装置１０の斜視図である。
【図３】画像読取装置１０の内部に設けられた機能構成を例示する図である。
【図４】光電変換素子１０６をより詳細に説明する図である。
【図５】画像読取装置１０の初期化動作（Ｓ１０）を例示するフローチャートである。
【図６】画像読取装置１０の待機中の動作（Ｓ２０）を例示するフローチャートである。
【図７】待機中に画像読取指示を受信した場合の動作（Ｓ２２）を例示するフローチャートである。
【図８】黒レベル調整の検査動作（Ｓ３０）を例示するフローチャートである。
【図９】黒レベル調整の変+形例（Ｓ４０）を説明するフローチャートである。
【符号の説明】
【００５７】
１・・・画像形成装置
１０・・・画像読取装置
１００・・・プラテンガラス
１０２・・・プラテンカバー
１０４・・・開閉検知センサ
１０６・・・光電変換素子
１０８・・・サンプルホールド回路
１１０・・・黒レベル調整回路
１１２・・・出力増幅回路
１１４・・・ＡＤ変換回路
１１６・・・シェーディング補正回路
１１８・・・出力遅延回路
１２０・・・画像処理回路
１２２・・・素子駆動回路
１２４・・・ＤＡ変換回路
１２６・・・比較回路
１２８・・・ＣＰＵ
【図１】
2010074528.tif 000003
【図２】
2010074528.tif 000004
【図３】
2010074528.tif 000005
【図４】
2010074528.tif 000006
【図５】
2010074528.tif 000007
【図６】
2010074528.tif 000008
【図７】
2010074528.tif 000009
【図８】
2010074528.tif 000010
【図９】
2010074528.tif 000011